(57)【要約】【課題】  生物に空気を供給する全ての場合において空気中の有害成分を除去するとともに空気を本質的に改善して生物の生理作用に作用させて生命力の健全性を簡易な構成により低廉なコストの下に維持保全することができる。【解決手段】富士山由来の火山岩系セラミック末にタンニン、木質系炭を添加してなる空気改善材であって、該空気改善材に接触した空気に還元性能を付与するとともに空気改善材に接触した空気を呼吸した肺の遺伝子発現量が空気改善材に接触していない空気を呼吸した肺の遺伝子発現量より低下せしめる機能を有する空気改善材、この空気改善材を利用した空気改善装置ならびに空気改善方法を提供して上記課題を解決する。【選択図】  図２
2020169297.tif 000002
【特許請求の範囲】
【請求項１】
富士山由来の火山岩系セラミック末にタンニン、木質系炭を添加してなる空気改善材であって、該空気改善材に接触した空気に還元性能を付与するようにしたことを特徴とする空気改善材。
【請求項２】
請求項１記載の空気改善材において、さらに竹炭を添加したことを特徴とする空気改善材
【請求項３】
富士山由来の火山岩系セラミック末にタンニン、木質系炭を添加してなる空気改善材であって、該空気改善材に接触した空気を呼吸した肺の遺伝子発現量が空気改善材に接触していない空気を呼吸した肺の遺伝子発現量より低下せしめる機能を有することを特徴とする空気改善材。
【請求項４】
空気を富士山由来の火山岩系セラミック末に連続的に接触させ空気に還元性能を付与させてなる空気改善方法。
【請求項５】
請求項４記載の空気改善方法において、前記火山岩系セラミック末にはタンニン、木質系炭を添加したことを特徴とする空気改善方法。
【請求項６】
請求項５記載の空気改善方法において、前記火山岩系セラミック末にはさらに竹炭を添加したことを特徴とする空気改善方法。
【請求項７】
富士山由来の火山岩系セラミック末に連続的に接触させた空気を呼吸した肺の遺伝子発現量が空気改善材に接触していない空気を呼吸した肺の遺伝子発現量より低下せしめるようにしたことを特徴とする空気改善方法。
【請求項８】
請求項７記載の空気改善方法において、前記火山岩系セラミック末にはタンニン、木質系炭を添加したことを特徴とする空気改善方法。
【請求項９】
請求項８記載の空気改善方法において、前記火山岩系セラミック末にはさらに竹炭を添加したことを特徴とする空気改善方法。
【請求項１０】
駆動源により送風経路を流通する空気を空気改善材に接触させることにより改善した空気を放出するようにした空気改善装置であって、前記空気改善材は、富士山由来の火山岩系セラミック末であることを特徴とする空気改善装置。
【請求項１１】
請求項１０記載の空気改善装置において、送風経路には熱交換部と空気改善部を具え、この空気改善部は請求項１ないし３いずれかの空気改善材を塗布した複数の空気改善体で構成し送給された空気が空気改善材に接触しつつ通過するように構成したことを特徴とする空気改善装置。
【請求項１２】
請求項１１記載の空気改善装置において、前記空気改善体は筒体で構成したことを特徴とする空気改善装置。
【請求項１３】
請求項１０ないし１２いずれか記載の空気改善装置において、前記火山岩系セラミック末にはタンニン、木質系炭を添加したことを特徴とする空気改善装置。
【請求項１４】
請求項１３記載の空気改善装置において、前記火山岩系セラミック末にはさらに竹炭を添加したことを特徴とする空気改善装置。
【請求項１５】
請求項１０ないし１４いずれか記載の空気改善装置を具えた建造物。
【請求項１６】
請求項１乃至３いずれか記載の空気改善材を天井又は壁面の全部または一部に塗布してなる建造物。
【発明の詳細な説明】
【発明の詳細な説明】
【０００１】
本願発明は、空気改善材とこれを利用した空気改善装置ならびに空気改善方法に関し、詳しくは空気に還元性能を付与しあるいは吸引した空気による呼吸器の遺伝子発現に作用する有害物質を低減し得る物質からなり、接触した空気の性質または機能を改善する空気改善材とこれによる空気改善方法および空気改善装置ならびに該装置を具備して常時内部の空間環境をヒトの健康維持に好ましい状態に改善できる建造物に関するものである。
【０００２】
近代文明の本質はその視点により様々であろうが、例えば、ひとつの側面として生産性の向上によるヒトの生活の利便性、快適性の追求といった面が重要性を有していることは否定しがたい。  現代を一世紀前と比較すると、ヒトの生活レベルは見違えるほど向上して、ヒトの生活の利便性、快適性の追求は達成されたとも言える。  これとともに、ヒトの平均寿命も一世紀でほぼ倍となり、現在では、疾病からの回復といった消極策のみではなく、日常、いかに健康を維持して・促進してできるだけ長い日々をヒトらしく送ることができるかと言うことも解決すべき重要なテーマとなりつつある。すなわち、寝たきり状態での長寿や、固疾を有しての不自由な日常の繰り返しではなく、もっと積極的な健康の維持が求められている。
【０００３】
そして、このような状況でクローズアップされるのが、近代文明の発展に伴う負の側面である。  特に、「水」と「空気」については、産業の勃興とともに種々様々な問題が発生し、ヒトの生活を脅かしてきたことは耳目に新しいところである。
そして、空気や水に含まれる有害物質や有害と想定される物質を除去する、いわゆる「浄化技術」は、比較的目に見え易く理解もし易いことから大いなる発展が見られた。
しかしながら、このように浄化された水や空気については、これらがヒトを積極的に傷害する要素を含有しないであろうと言う、いわば消極的な面のみの改善に止まっていた。
【０００４】
近年、様々な有害物質がヒトを始めとする生物がもともと有する健康維持機能に好ましからざる影響を与え、健康を害する例が頻発している。  この場合の健康の維持とは、必ずしも疾病に罹患していないことのみを意味せず、明確な病に侵されているわけではないが、心身の不全感等を含んでいる。このような、心身の不全感等は、東洋医学では心身における「陰陽」のバランスの問題として把握され種々の対応手段が見られるが、近代西洋医学では半病気、半健康の認識、対処は不十分とも言われている。  このため従来からこのような状況に対応できる技術が求められてきた。
【背景技術】
【０００５】
従来、空間環境の改良技術に関しては、種々の空気改善又は空気改質技術が提供されている。（特許文献１，２）
【先行技術文献】
【特許文献】
【０００６】
【特許文献１】特開２０１８−２００１６９
【特許文献２】特開２０１７−２０９２２３
【特許文献３】特開２０１６−０８７１０８
【発明の開示】
【発明が解決しようとする課題】
【０００７】
しかしながら、特許文献１は、イオンを放出して空間環境を改良しようとする試みに鑑みて、イオン発生技術を提示するもので複雑な構成の機器を必要としている。  また、特許文献２に係る技術は、単に芳香成分を空間に放出する技術であり、芳香成分がヒトの健康に特に資するものとは考えられない。
さらに、特許文献３は、特に汚染されている空気環境において、空気を浄化して汚染を除去しようとする技術で、特に汚染されているとは目されない通常の空気環境を改善又は改質してヒトを含む生体に好ましい状況を積極的に実現しようとするものではない。
【課題を解決するための手段】
【０００８】
本願発明は、上記課題を解決するためになされたもので、富士山由来の火山岩系セラミック末にタンニン、木質系炭を添加してなる空気改善材であって、該空気改善材に接触した空気に還元性能を付与するようにした空気改善材を提供する。
【０００９】
識別番号０００８の空気改善材において、さらに竹炭を添加することがある。
【００１０】
また、本案発明は、富士山由来の火山岩系セラミック末にタンニン、木質系炭を添加してなる空気改善材であって、該空気改善材に接触した空気を呼吸した肺の遺伝子発現量が空気改善材に接触していない空気を呼吸した肺の遺伝子発現量より低下せしめる機能を有する空気改善材を提供する。
【００１１】
本願発明はまた、空気を富士山由来の火山岩系セラミック末に連続的に接触させ空気に還元性能を付与させてなる空気改善方法を提供する。
【００１２】
識別番号００１１記載の空気改善方法において、前記火山岩系セラミック末にはタンニン、木質系炭を添加することがある。
【００１３】
識別番号００１２記載の空気改善方法において、前記火山岩系セラミック末にはさらに竹炭を添加することがある。
【００１４】
さらに、本願発明は、空気を富士山由来の火山岩系セラミック末に連続的に接触させた空気呼吸した肺の遺伝子発現量が空気改善材に接触していない空気を呼吸した肺の遺伝子発現量より低下せしめるようにした空気改善方法を提供する。
【００１５】
識別番号００１４記載の空気改善方法において、前記火山岩系セラミック末にはタンニン、木質系炭を添加することがある。
【００１６】
識別番号００１５記載の空気改善方法において、前記火山岩系セラミック末にはさらに竹炭を添加することがある。
【００１７】
さらに、本願発明は、駆動源により送風経路を流通する空気を空気改善材に接触させることにより改善した空気を放出するようにした空気改善装置であって、前記空気改善材は、富士山由来の火山岩系セラミック末で構成した空気改善装置を提供する。
【００１８】
識別番号００１７記載の空気改善装置において、送風経路には熱交換部と空気改善部を具え、この空気改善部は識別番号０００８ないし００１０いずれか記載の空気改善材を塗布した複数の空気改善体で構成し送給された空気が空気改善材に接触しつつ通過するように構成することがある。
【００１９】
識別番号００１８記載の空気改善装置において、前記空気改善体は筒体で構成することがある。
【００２０】
識別番号００１７ないし００１９いずれか記載の空気改善装置において、前記火山岩系セラミック末にはタンニン、木質系炭を添加することがある。
【００２１】
識別番号００２０記載の空気改善装置において、前記火山岩系セラミック末にはさらに竹炭を添加することがある。
【００２２】
そして、本願発明は識別番号００１７ないし００２１いずれか記載の空気改善装置を具えた建造物を提供する。
【００２３】
さらに、識別番号８ないし１０いずれか記載の空気改善材を天井又は壁面の全部または一部に塗布してなる建造物を提供する。
【発明の効果】
【００２４】
本願発明は、以上述べた構成・作用により、建造物における内部の空気の改善、変革を始め、生物に空気を供給する全ての場合において空気を改質して生物の生理作用に作用して生命力の健全性を簡易な構成により低廉なコストの下に維持保全することができる。
【発明を実施するための形態】
【００２５】
本願発明の出発点は、以下の点にある。  すなわち、近年、様々な有害物質がヒトを始めとする生物がもともと有する健康維持機能に好ましからざる影響を与え、健康を害する例が頻発している。  この場合の健康の維持とは、必ずしも疾病に罹患していないことのみを意味せず、明確な病に侵されているわけではないが、心身の不全感等を含んでいる。このような、心身の不全感等は、東洋医学では心身における「陰陽」のバランスの問題として把握され種々の対応手段が見られるが、近代西洋医学では半病気、半健康の認識、対処は不十分とも言われている。  このため従来からこのような状況に対応できる技術が求められてきた。
【００２６】
本願発明者らは、富士山由来の火山岩系セラミックの有する環境調整機能すなわち接触した空気に還元性能を付与する機能あるいは遺伝子発現に作用する空気中の有害物質の除去作用等に着目して、実験研究を重ね、本願発明を完成するに至った。
【００２７】
実験No.1
図１は実験１の構成を示す概略図である。図１（a）において、１は、デシケータ（１５リットル容ポリカーボネート製）、２はカテキン水溶液（0.06％）、３は紙製容器４に収容した空気改善材としての富士山由来の火山岩系セラミック末（溶岩パウダー）１６ｇである。この状態で４〜６週間静置して、カテキン水溶液２の酸化還元電位を測定した。
【００２８】
そして、図１（b）に示すように比較対象試験として、紙製容器４は空のままでカテキン水溶液（0.06％）２のみをデシケータ（１５リットル容ポリカーボネート製）１に静置して、４〜６週間静置して、カテキン水溶液２の酸化還元電位を測定した。
【００２９】
図２における表１は、上記試験の結果を示す表である。表１において対照試験は前記紙製容器４が空の場合を示し、サンプル試験は紙製容器４に空気改善材としての富士山由来の火山岩系セラミック末（溶岩パウダー）３（表１において試料名として富士山の石と表記）の存在下に前記カテキン水溶液２を静置した場合、静置期間４週間、６週間いずれの場合においても、酸化還元電位は対象試験に較べて低い値を示している。（表１における実験No.1を参照）  このことは、空気改善材としての富士山由来の火山岩系セラミック末（溶岩パウダー）３がカテキン水溶液２の酸化を抑制することが示され、これは、すなわち、空気改善材（富士山由来の火山岩系セラミック末（溶岩パウダー）３）が空気空間への還元性付与能を具有するものと考えられる。
【００３０】
実験No.2
この前記実験No.1では、試料を富士山由来の火山岩系セラミック末（溶岩パウダー）３のみとしたが、この実験No.2では、空気改善材としての富士山由来の火山岩系セラミック末（溶岩パウダー）３（表１において試料名として富士山の石と表記）にワットルタンニン１４ｇと紀州備長炭１２ｇを添加し、前記カテキン水溶液２を４〜８週間静置し、４，６および８週間後にカテキン水溶液２の酸化還元電位を測定した。
【００３１】
サンプル試験は紙製容器４に富士山由来の火山岩系セラミック末（溶岩パウダー）３（表１において試料名として富士山の石と表記）にワットルタンニン１４ｇと紀州備長炭１２ｇを添加した空気改善材としての混合物の存在下に前記カテキン水溶液２を静置した場合、静置期間４週間、６週間、８週間のいずれの場合においても、酸化還元電位は対象試験に較べて低い値を示している。（表１における実験No.2を参照）  このことは、富士山由来の火山岩系セラミック末（溶岩パウダー）、ワットルタンニン、紀州備長炭の混合物（空気改善材）がカテキン水溶液２の酸化を抑制することが示された。これは、すなわち富士山由来の火山岩系セラミック末（溶岩パウダー）、ワットルタンニン、紀州備長炭の混合物が空気空間への還元性付与能を具有するものと考えられる。
【００３２】
実験No.3
空気改善体に接触させた空気を用いて、該空気改善材に接触した空気を呼吸した肺の遺伝子発現量が空気改善材に接触していない空気を呼吸した肺の遺伝子発現量より低下せしめる機能の検証試験を行った。この検証試験は、具体的には上記空気改善材を用いて、たばこ煙のマウス肺に対する影響の抑制についての動物実験である。  ここで空気改善体は、紙製パイプの表裏両面に空気改善材を塗布したもので、この空気改善材は樹皮タンニン、備長炭粉末、富士山由来の火山岩系セラミック末（溶岩パウダー）、竹炭粉末の２：２：１：１（重量比）の混合物からなり、この空気改善材（混合物）を温湯中で十分に撹拌・混合して得られた懸濁液を紙製パイプの表裏両面に塗布し乾燥させて空気改善体を得た。
【００３３】
動物実験は、株式会社紀和実験動物研究所の東京実験動物株式会社で実施した。図３は、この動物実験に使用した装置の概略構成図である。  図において、５はたばこ煙発生スペース、６はマウス飼育スペースであり、両者は管路９，１０で連結されている。  管路９中にはブロワー７と空気改善部８とが設置されており、この空気改善部８には前記空気改善体が組み込まれていて、たばこ煙発生スペース５の空気は管路９においてブロワー７により空気改善部８で空気改善体に接触しつつマウス飼育スペース６に送り込まれるようになっている。
【００３４】
実験は、たばこ煙発生の有無、空気改善部８の有無により、以下の３つの飼育環境を設定して実施された。
(1)    通常飼育群      ：    たばこ煙なし、空気改善部８なし
(2)    たばこ煙環境下群：    たばこ煙あり、空気改善部８なし
(3)  （たばこ煙環境下  ＋  空気改善部８）群：  たばこ煙あり、空気改善部あり
上記(1)〜(3)の飼育環境下で飼育したマウスを頸椎脱臼により安楽死させた後、肺を回収して液体窒素で凍結しつくば遺伝研究所に搬送して、遺伝子実験に供した。
【００３５】
遺伝子実験は、つくば遺伝子研究所で実施した。肺組織から溶剤抽出を繰り返すことにより、RNA（リボ核酸）を抽出した。  このRNAから特異的にmRNAを濃縮し、これらmRNAを鋳型としてcDNA（デオキシリボ核酸）を合成後、シークエンス用ライブラリーを作成した。
次に、cDNA用ライブラリーを次世代シークエンサーでシークエンスした。  こうして得られたシークエンスをマウスのリファレンスゲノムにマップした後、上記の３つのマウス実験群間での差異をCuffdiffプログラム（マッピング結果を利用して発現変動遺伝子を検出するプログラム）により解析した。
【００３６】
RNAシークエンスデータ解析の結果、以下の知見が得られた。
(1)    通常飼育群とたばこ煙環境下群マウス肺のエキソン（遺伝子構成単位）個々の発現量を比較した結果、両条件下で発現量に大きな差があり、中でも発現量の多い９５個のエキソンが抽出された。
(2)    タバコ煙環境下群と（たばこ煙環境下  ＋  空気改善部８）群のマウス肺のエキソン（遺伝子構成単位）個々の発現量を比較した結果、両条件下で発現量に大きな差があり、中でも発現量の多い８８個のエキソンが抽出された。
(3)    上記(1)で抽出された９５個のエキソンデータと(2)で抽出された８８個のエキソンデータを一つのデータシートに載せ詳細な解析を行ない、図表も作成した。  解析によれば、たばこ煙環境下飼育マウス肺では、通常飼育マウスに較べて、遺伝子の発現の昂進が見られ、多いものでは発現量が１５０倍に達しているものもある。こうした昂進は、たばこ煙中に含まれる有害物質の作用と判断される。  一方、前記のような遺伝子発現の昂進はたばこ煙環境下  ＋  空気改善部８）群のマウス肺では見られず、通常飼育群マウス肺とほぼ同じレベルである。  このことから、空気改善部８は遺伝子発現に作用する有害物質を除去しているものと判断される。
【００３７】
この遺伝子実験では有害物質の除去を目的として開発された空気改善部８が空気中の有害物質を除去できるかを検証することを目的としてなされ、具体的にはたばこ煙の影響を肺の遺伝子発現の変化として捉える方法で実施したものである。  以上のように、肺での遺伝子発現の変化の解析から、空気改善部８による空気中のなんらかの有害物質除去可能性がたばこ煙を例にして示唆されたと言える。
【００３８】
図４は、空気改善装置の１実施例を示す構成図である。  図において、１１は空気改善装置であり、この空気改善装置１１は所定空間Sに空間外から取り入れた空気を改善して空間に供給する一方、空間内の空気を空間外に排出する機能を有している。  この空気改善装置１１は、送風経路、熱交換機、空気改善部および送風駆動源とからなっている。  
【００３９】
すなわち、図において、１２は排気系送風経路、１３は吸気系送風経路であり、これら送風経路には熱交換機１４が架設されている。  そして、吸気系送風経路１３において、熱交換機１４を経た空気を改良する空気改善部８が設けられている。  なお、送風駆動源は適宜箇所に設ければよく特には図示していない。
【００４０】
吸気系送風経路１３に取り込まれた空気は、矢符のように流動して熱交換機１４において熱交換した後、空気改善部８に至り内蔵する空気改善材に接触して改善され所定空間S内に放散されるようになっている。
他方、所定空間S内の空気は、排気系送風経路１２を流動して熱交換機１４を経て空間外に排出される。
【００４１】
図５は、前記空気改善部８の１実施例を示す一部切欠断面斜視図である。図において、１５は外筒であり、この外筒１５内には後述の空気改善体１６が複数収納されていて、空気がこの空気改善体を通過接触する間に、空気改善材により
改善されることになる。
【００４２】
図６は、図５に述べた空気改善体１６を示す斜視図である。この空気改善体１６は、筒体である本体１７とこの本体１７の表裏に塗布した空気改善材３１によりなっている。  この空気改善材３１は樹皮タンニン、備長炭粉末、富士山由来の火山岩系セラミック末（溶岩パウダー）、竹炭粉末の２：２：１：１（重量比）の混合物からなり、この空気改善材（混合物）を温湯中で十分に撹拌・混合して得られた懸濁液を紙製パイプの表裏両面に塗布し乾燥させて作成したものである。
備長炭粉末、竹炭粉末は消臭、調湿、化学物質の吸着能が知られており、例えば、ホルムアルデヒド、トルエン等のガス除去、アンモニア、メチルメルカプタン、硫化水素などの吸着作用を有している。
【００４３】
以上説明した空気改善装置１１は、種々の用途に供し得るが、例えば建造物への設置も好適である。  建造物に設置する場合、図４における所定空間Sは部屋数に応じて複数となろうから、これに対応して吸気系送風経路１３における空気放出口を複数設置することになる。  同様に排気系送風経路１２の吸い込み口も複数設けることになる。  また、建造物等では装置を連続運転しても良いが、一定間隔毎に所定時間運転させることも可能である。
【００４４】
建造物内の空気改善については、空気改善材を天井、壁面等に塗布することによることも有効である。  すなわち、樹皮タンニン、備長炭粉末、富士山由来の火山岩系セラミック末（溶岩パウダー）、竹炭粉末の２：２：１：１（重量比）の混合物を温湯中で十分に撹拌・混合して得られた懸濁液を天井又は壁面の全部または一部に塗布する。  タンニンは、各構成粉末の固定に供するものである。
【図面の簡単な説明】
【００４５】
【図１】．．．．．．富士山由来の火山岩系セラミック末の空気改善作用を検証する実験の説明図である。
【図２】．．．．．．図１に示す実験における結果を示す表である。
【図３】．．．．．．たばこ煙の影響をマウスの肺の遺伝子発現の変化として検証する実験におけるマウス飼育システムの構成図である。
【図４】．．．．．．空気改善装置の構成図。
【図５】．．．．．．図４に示す空気改善装置における空気改善部を示す断面斜視図である。
【図６】．．．．．．図５に示す空気改善体の斜視図である。
【符号の説明】
【００４６】
１．．．．デシケータ
２．．．．カテキン水溶液
３．．．．空気改善材
５．．．．たばこ煙発生スペース
６．．．．マウス飼育スペース
８．．．．空気改善部
９．．．．管路
１０.．．．管路
１１．．．空気改善装置
S．．．．．所定空間
１２．．．．排気系送風経路
１３．．．．吸気系送風経路
１４．．．．熱交換機
１６．．．．空気改善体
３１．．．．空気改善材
【図１】
2020169297.tif 000003
【図２】
2020169297.tif 000004
【図３】
2020169297.tif 000005
【図４】
2020169297.tif 000006
【図５】
2020169297.tif 000007
【図６】
2020169297.tif 000008